(57)【特許請求の範囲】
【請求項１】
ベース材の色が、無色透明の帯状シート表面に透けた状態で印刷されたベースカラー見本と、ファンデーションの色が、無色透明の帯状シート表面の一部に濃色で印刷され他の部分に透けた状態で印刷されたファンデーションカラー見本とで構成されており、両者の透けた印刷着色部を重ねることにより、ベース材とファンデーションを重ねた色が認識できるようになっていることを特徴とする肌色見本具。
【請求項２】
上記ベースカラー見本とファンデーションカラー見本とが、ともに幅寸法２０〜４０ｍｍ、長さ寸法１２０〜１８０ｍｍの帯状シートからなり、両者が片縁部で、リング状綴じ具によって回動自在に綴じられている請求項１記載の肌色見本具。
【請求項３】
上記ファンデーションカラー見本に、互いに色の異なる複数のファンデーションの色が、長手方向に並んだ状態で印刷されている請求項１または２記載の肌色見本具。
【請求項４】
印刷された色が互いに異なる複数枚のベースカラー見本と、印刷された色が互いに異なる複数枚のファンデーションカラー見本とで構成されている請求項１または２記載の肌色見本具。
【発明の詳細な説明】
【０００１】
【発明の属する技術分野】
本発明は、化粧品販売店等において、化粧品の販売促進に用いられる肌色見本具に関するものである。
【０００２】
【従来の技術】
従来から、化粧品販売では、専門の販売員が、店頭あるいは訪問販売先で、顧客の肌の状態や要望を聞きながらカウンセリングを行ったのち、適宜の化粧品を選んで推奨し販売することが行われている（カウンセリング方式）。また、最近では、販売員との問答やカウンセリングを疎ましく感じる顧客や、短時間で自分の判断に基づいて商品選択を行いたい顧客のために、顧客自身が、棚から化粧品を選択して購入する方式（セルフ方式）が提案され、コンビニエンスストア等で実施されている。
【０００３】
そして、上記カウンセリング方式にしろ、セルフ方式にしろ、化粧品販売店の店頭には、大量の試供品が用意されており、顧客は、販売員とやりとりしながら、あるいは自分自身で選択しながら、上記試供品を自分の肌に塗布し、その色や塗布具合を確かめた上で、化粧品購入を決定することが多い。
【０００４】
【発明が解決しようとする課題】
しかしながら、顔の肌に塗るファンデーションやその下に塗るベース材は、実際に顔に塗布したり拭き取ったりする作業が煩わしいため、顧客は、実際にそれを試すことなく、見た目で感覚的に購入しがちである。このため、顧客自身にとって、充分に納得して、自分に合ったファンデーションやベース材を選択することがむずかしい、という問題がある。
【０００５】
本発明は、このような事情に鑑みなされたもので、顧客が、自分の肌に塗布することなく、簡単に、自分の肌に適した色のファンデーションやベース材を選択することのできる肌色見本具の提供をその目的とする。
【０００６】
【課題を解決するための手段】
上記の目的を達成するため、本発明は、ベース材の色が、無色透明の帯状シート表面に透けた状態で印刷されたベースカラー見本と、ファンデーションの色が、無色透明の帯状シート表面の一部に濃色で印刷され他の部分に透けた状態で印刷されたファンデーションカラー見本とで構成されており、両者の透けた印刷着色部を重ねることにより、ベース材とファンデーションを重ねた色が認識できるようになっている肌色見本具を第１の要旨とし、そのなかでも、特に、上記べースカラー見本とファンデーションカラー見本とが、ともに幅寸法２０〜４０ｍｍ、長さ寸法１２０〜１８０ｍｍの帯状シートからなり、両者が片縁部で、リング状綴じ具によって回動自在に綴じられているものを第２の要旨とする。
【０００７】
また、これらの肌色見本具のなかでも、特に、上記ファンデーションカラー見本に、互いに色の異なる複数のファンデーションの色が、長手方向に並んだ状態で印刷されているものを第３の要旨とし、印刷された色が互いに異なる複数枚のべースカラー見本と、印刷された色が互いに異なる複数枚のファンデーションカラー見本とで構成されているものを第４の要旨とする。
【０００８】
【発明の実施の形態】
つぎに、本発明の実施の形態について説明する。
【０００９】
図１は、本発明の肌色見本具の一実施の形態を示している。この肌色見本具は、ファンデーションやベース材の購入を希望する顧客のために用意されるもので、５枚の帯状シートと、１枚の剛性ガイド板１とで構成されている。そして、これらは、片側に設けられたリング状綴じ具２によって、それぞれが回動自在な状態で綴じられている。
【００１０】
上記剛性ガイド板１は、厚み１．８ｍｍの透明アクリル板からなり、剛性が高く、他の５枚の帯状シートが屈曲したり、シート表面の印刷が削り取られたりするのを防止する役割を果たすものである。そして、この剛性ガイド板１は、幅２７ｍｍ、長さ１５４ｍｍで長手方向の両端部が円弧状になっている。
【００１１】
また、上記５枚の帯状シートは、いずれも、無色透明の、厚み０．３ｍｍのプラスチックシートからなり、上記剛性ガイド板１と同一形状に設定されている。そして、１枚目のシートは、ファンデーションの色が表示されたファンデーションカラー見本３になっており、つぎの３枚のシートは、それぞれベース材の色が表示されたベースカラー見本４になっている。そして、最後のシートは、ベース材の１回の使用量の目安が表示されたサブシート５になっている。
【００１２】
上記ファンデーションカラー見本３は、図２に示すように、その先端（図では右端）の半円部６に、標準的な肌色が濃く印刷されており、そこに白抜きで、「ＯＣ−Ｃ１」の見出し７が表示されている。そして、その左側には、上記標準的な肌色が、シート反対側が透けて見える程度の薄さで印刷されて、着色領域Ｐを形成している。また、この着色領域Ｐと一定の隙間８をあけて、その左側に、上記領域Ｐで示される肌色とは異なる肌色が、同じくシート反対側が透けて見える程度の薄さで印刷されて、着色領域Ｑを形成している。そして、この領域Ｑの左側に設けられた半円部９に、領域Ｑで示された肌色と同一の肌色が濃く印刷されており、そこに白抜きで、「ＹＯ−Ｃ１」の見出し１０が表示されている。
【００１３】
なお、上記「ＯＣ−Ｃ１」、「ＹＯ−Ｃ１」において、「ＯＣ」とは「オークル」の略で標準的な肌色系列を示す象徴記号、「ＹＯ」とは「イエローオークル」の略で黄色がかった肌色系列を示す象徴記号である。また、他の肌色系列を示す象徴記号として、赤色がかった肌色系列を示す「ＰＯ」がある。そして、「−Ｃ１」とは、一つの肌色系列（ＯＣ系列とかＹＯ系列）において、明度の異なる肌色を区別するために用いられる象徴記号のうち、その肌色系列における標準色を示すものである。また、この標準色よりも１段階明度の低いものは「Ｄ１」、さらに１段階明度の低いものは「Ｅ１」、標準色「Ｃ１」よりも１段階明度の高いものは「Ｂ１」で示される。これらの象徴記号は、従来から、化粧品メーカーがファンデーションカラーの表示に用いているものである。
【００１４】
また、上記３枚のベースカラー見本４は、図３に示すように、表示される色が互いに異なっており、それぞれを４ａ、４ｂ、４ｃで示す。まず、第１のベースカラー見本４ａには、ファンデーションの下に塗ることにより、化粧後の肌色に透明感を与える効果を備えたベース材の色が、シート反対側が透けて見える程度の薄さで印刷されて、着色領域Ｒを形成している。この着色領域Ｒの根元部（向かって左側）には、「ブライトアップ」の文字１１が表示されている。
【００１５】
つぎに、第２のベースカラー見本４ｂには、ファンデーションの下に塗ることにより、化粧後の肌色に赤味を加える効果を備えたベース材の色（ピンク）が、シート反対側が透けて見える程度の薄さで印刷されて、着色領域Ｓを形成している。この着色領域Ｓの根元部には、「ピーチ」の文字１２が表示されている。
【００１６】
さらに、第３のベースカラー見本４ｃには、ファンデーションの下に塗ることにより、化粧後の肌色において赤味を抑える効果を備えたベース材の色（薄いグリーン）が、シート反対側が透けて見える程度の薄さで印刷されて、着色領域Ｔを形成している。この着色領域Ｔの根元部には、「グリーン」の文字１３が表示されている。
【００１７】
また、一番下のサブシート５は、図４に示すように、色見本ではなく、泡状のベース材（下地）を用いるときの１回の使用量の目安、通常のベース材を用いるときの１回の使用料の目安、シミ隠し等の補整料を用いるときの１回の使用料の目安を示すもので、それぞれ、実際にベース材１回分を取り出した状態の写真１４〜１６が印刷表示されている。
【００１８】
上記肌色見本具は、例えばつぎのようにして用いることができる。すなわち、化粧品販売店の店頭や訪問販売先等において、例えばファンデーションを購入しようとする顧客に対し、販売員（もしくは専門カウンセラー等）は、まず、顧客を鏡の前に導き、顧客が自分の顔を見ることができるようにした上で、図５に示すように、顧客の顔に、上記肌色見本具のファンデーションカラー見本３を当てる。
【００１９】
そして、「ＯＣ−Ｃ１」の肌色を示す着色領域Ｐと、「ＹＯ−Ｃ１」の肌色を示す着色領域Ｑを、交互に肌に当て、地肌とシートの肌色とが重なった色の感じを見て、自分に適したファンデーションの色はどちらかを慎重に検討した上で、選択することができる。
【００２０】
また、ファンデーションだけでなく、ベース材をその下に重ねて塗る方が好ましいと思われる場合（あるいは顧客自身がベース材の購入を希望している場合等）は、上記ファンデーションカラー見本３の下に、ベースカラー見本４（３枚のいずれか）を重ねて肌に当てることにより、ファンデーションだけを用いた場合との印象の差を、透けた着色領域Ｐ等の重なり部の色の差として、顧客に納得させることができる。この場合も、ファンデーションの色とベースカラーの色を、互いにいろいろ変えて組み合わせることにより、顧客に最も適した組み合わせを選択することができる。
【００２１】
そして、それまでベース材を使用したことのない人、あるいは使用経験者であるが１回の使用量については無頓着であった人等に対しては、前記サブシート５（図４参照）を提示して、べース材の１回の使用量の目安を、目で見て理解してもらうことができる。
【００２２】
このように、上記肌色見本具によれば、実際にファンデーションやベース材を肌に塗布しなくても、各シートの透けた着色領域Ｐ等を肌に当てるだけで、一目でその色のファンデーション等を肌に塗った状態の肌色がわかるため、自分の肌の色に適した色のファンデーションやベース材を、簡単に選択することができ、充分に納得した上でこれらを購入することができる。
【００２３】
また、上記肌色見本具を用いるときに、顧客が化粧をしていて顔の地の色が特定しにくい場合は、手の甲や腕の内側に上記肌色見本具を当てることにより、同様の効果を得ることができる。
【００２４】
なお、上記の例では、ファンデーションカラー見本３とベースカラー見本４を保護するための剛性ガイド板１を設けたが、これは必ずしも必要ではない。また、ベース材の１回の使用量を示すサブシート５も、顧客に対しよりきめ細かなサービスを行うために設けたが、必ずしも必要ではない。
【００２５】
そして、その形状は、取扱いの便を考慮すれば帯状でなければならないが、厳密な帯状（細長い長方形状）に制限するものではない。例えば楕円状のものや、左右にカーブしているもの等、多少変形した形状のものであっても、全体として細長く設定されたものであれば差し支えはない。そして、幅寸法が２０〜４０ｍｍ、長さ寸法が１２０〜１８０ｍｍの範囲内にあるものが、手に持って顔に当てたりずらしたりする動作を行いやすく、特に好適である。
【００２６】
また、上記の例では、ファンデーションカラー見本３において、１枚の帯状シートに、２種類の肌色を、２つの着色領域Ｐ，Ｑとして並べて表示しているが、３種類以上の肌色を同時に並べて表示するようにしても差し支えはない。逆に、前記ベースカラー見本４のように、複数枚のシートを用意し、シート１枚ごとに色の異なる肌色を表示するようにしても差し支えはない。
【００２７】
同様に、ベースカラー見本４において、１枚の帯状シートに、２種類以上の色を同時に並べて表示するようにしてもよい。
【００２８】
さらに、上記の例では、５枚の帯状シートおよびガイド板１を片方の端部でリング状綴じ具２で綴じ合わせているが、肌色見本シートが複数の場合、これらを必ずしも綴じる必要はなく、その保持形態は特に限定されない。
【００２９】
【発明の効果】
以上のように、本発明の肌色見本具によれば、カウンセラーや顧客自身がこれを自分の肌に当てるだけで、自分の肌にファンデーションやベース材を塗布した状態の肌色を、見本の透けた着色領域の重なり部の色として、簡単に見ることができる。したがって、顧客が、ファンデーションやベース材で実際に自分の肌を汚すことなく、短時間で、自分の肌の色を納得した上で、その色に適したファンデーションやベース材を選択することができるという効果を奏する。
【００３０】
特に、肌色見本具に用いる各シートを、幅寸法２０〜４０ｍｍ、長さ寸法１２０〜１８０ｍｍに設定し、片縁部で、リング状綴じ具によって回動自在に綴じたものは、適宜のシートを取り出して顔に当てたりずらしたりする動作が行いやすいという効果を奏する。
【００３１】
また、ファンデーションカラー見本に、互いに色の異なる複数のファンデーションカラーの色を、長手方向に並んだ状態で印刷したものは、豊富な色を、少ないシート枚数で提示することができ、取り扱いやすいという利点を有する。
【００３２】
さらに、印刷された色が互いに異なる複数枚のベースカラー見本と、印刷された色が互いに異なる複数枚のファンデーションカラー見本とで構成したものは、シートの枚数こそ多くなるが、求める色のシートを一枚ずつ取り出すことができ、確実に操作を行うことができるという利点を有する。
【００３３】
そして、本発明の肌色見本具によれば、新色のベース材やファンデーションカラーが新製品として出る際には、その都度、該当する色についての見本シートを追加することができるという利点を有する。
【図面の簡単な説明】
【図１】本発明の肌色見本具の一実施例の説明図である。
【図２】上記実施例に用いるファンデーションカラー見本の説明図である。
【図３】上記実施例に用いるベースカラー見本の説明図である。
【図４】上記実施例に用いるサブシートの説明図である。
【図５】上記実施例の使用態様の説明図である。
【符号の説明】
３  ファンデーションカラー見本
４  ベースカラー見本
【図１】
0003614735.tif 000002
【図２】
0003614735.tif 000003
【図３】
0003614735.tif 000004
【図４】
0003614735.tif 000005
【図５】
0003614735.tif 000006